(57)【特許請求の範囲】
【請求項１】
上端部および下端部に嵌合部を有するとともに１対の所定間隔を以って対峙する側枠部材の間に、上下方向に所定間隔を以って平行に複数の棒状部材を配するとともに、各棒状部材の両端部をそれぞれの側枠部材に固定した手摺り本体と、この手摺り本体の各側枠部材の上端部および下端部をそれぞれ嵌着できる溝を有するとともに、被取り付け部に固定できる取り付け部材とを備えてなる手摺り。
【請求項２】
手摺り本体の全体形状が平行四辺形である請求項１に記載の手摺り。
【請求項３】
手摺り本体が椅子に取り付けられている請求項１または２に記載の手摺り。
【発明の詳細な説明】
【０００１】
【発明の属する技術分野】
本発明はお年寄りや身障者等の移動時の手助けとなる手摺りに関するものである。
【０００２】
【従来の技術】
一般に足腰の弱ったお年寄りや、身障者等が移動したり、立ったり座ったりする場合、ひとりでは体のバランスを崩して危ないため、介添え者が体を支えたり手を握ったりして補助をしている。しかし、一般家庭では日常の生活の中でお年寄り等の傍に常について介添えするといったことは大変である。そこで、常時介添の必要なお年寄り等のいる家庭では、介添の必要な浴室内やトイレ内、或いは階段や玄関の上り框等の段差のある傍の壁面等にＬ字状の手摺りを取り付け、お年寄り等がひとりでも転倒することなく立ち上がったり座ったり移動したりできるようにしてある。
【０００３】
また、上記のような点に鑑みて図９に示すような手摺り３０も開発されている。この手摺り３０は、格子状に形成した手摺り本体３１の所定の４箇所に取付け部材３２を取り付けたものであり、トイレ内の壁面や、浴室内の壁面や、玄関の上り框の傍の壁面や、階段の傍の壁面等に、上記の取付け部材３２をネジ等で固定するようにしたものである。
【０００４】
【発明が解決しようとする課題】
しかしながら、この手摺り３０の場合、手摺り本体３１に対して取付け部材３２が所定の４箇所に固定して取り付けた構造であるため、玄関や階段等の傍の壁面にネジ等で取り付ける場合、柱や、壁内に埋設された横木部材等の位置に全ての取付け部材３２が位置するとは限らず、必ずしも全ての取付け部材３２をネジ等で強固に固定できるとはかぎらなかった。
【０００５】
また、取付け部材３２が吸着盤であった場合は、トイレや浴室等の壁面に取り付ける際に、例えば壁面のタイルとタイルの間の溝の位置にどれかの吸着盤が位置した場合、吸着盤と溝との間に隙間が生じ、手摺り３０を壁面に強固には取り付けることができない。そのためお年寄り等が手摺り本体３１を握って力をかけた場合、手摺り３０が壁面から外れて転倒してしまうといった懸念がある。
【０００６】
さらに、手摺り本体３１は格子状であるため、お年寄り等が手摺り本体３１の水平部３３を握り、この握った手を滑らせて体を移動させようとしても、滑らせたが手が必ず垂直部３４に当たる。そのため、その都度この手を水平部３３から一旦離し、上記垂直部３４を超えて再び次の水平部３３を握りなおさねばならない。そのため、お年寄り等が手摺り本体３１から手を離した時にバランスを崩して転倒してしまうといった懸念があった。
【０００７】
本発明は前記のような点に鑑みて開発されたものである。その目的とするところは、所望の個所に簡単に取付けできるとともに、段差のある個所での移動や、立ったり座ったりする時など、握った手を滑らせて安全に体を移動させるための補助となる手摺りを提供することにある。
【０００８】
【課題を解決するための手段】
そこで、本発明は前記の目的を有効に達成するために、次のような構成にしてある。すなわち、請求項１記載の本発明の手摺りは、
上端部および下端部に嵌合部を有するとともに１対の所定間隔を以って対峙する側枠部材の間に、上下方向に所定間隔を以って平行に複数の棒状部材を配するとともに、各棒状部材の両端部をそれぞれの側枠部材に固定した手摺り本体と、この手摺り本体の各側枠部材の上端部および下端部をそれぞれ嵌着できる溝を有するとともに、被取り付け部に固定できる取り付け部材とを備えている。
【００１０】
請求項２記載の本発明の手摺りは、請求項１に記載の手摺りの構成において、手摺り本体の全体形状が平行四辺形である。
【００１１】
請求項３記載の本発明の手摺りは、請求項１または２に記載の手摺りの構成において、
手摺り本体が椅子に取り付けられている。
【００１２】
【発明の実施の形態】
以下、本発明の実施の形態について説明する。
図１〜図４は本発明に係る一例の手摺りに関する図であって、図１は本発明に係る一例の手摺りの斜視図であり、図２は図１の手摺りを壁面に取り付けた状態の側面図であり、図３は図１の手摺りの正面図であり、図４は本発明に係る一例の取付け手段を示す拡大した説明図であり、図５は図１の手摺りの一使用状態を示す説明図である。
【００１３】
これらの図において、手摺り１は、手摺り本体２と、複数の取付け手段３とによって構成されている。
【００１４】
手摺り本体２は、１対の側枠部材４と複数本(この例では６本)の棒状部材５とからなり、上記側枠部材４を所定間隔を以って対峙させ、上下方向（側枠部材４の長手方向）に適宜間隔を以って平行に上記各棒状部材５を配するとともに両端部６を側枠部材４に開けた孔７にはめ込んで固定した構成である。
【００１５】
側枠部材４は、木製であって両端部８，９の側端面８ａ、９ａのみが壁面１０等に当接できるように形成され、両端部８，９以外の部分は使用時に壁面１０等との間に隙間１１(図２参照)ができるように形成されていて、指を入れて握れるようにしてある。なお、側枠部材４は、金属製でも硬質樹脂製であってもよく、また、上記のような隙間１１を生じない形状であってもよい。
【００１６】
棒状部材５は、握りやすいように適宜の径の木製丸棒が使用されている。勿論、棒状部材５は金属棒でも硬質樹脂成型棒であってもよく、また横断面形状も特に限定するものではなく、設計変更するも自由である。
【００１７】
上記の手摺り本体２の任意の個所、特に棒状部材５に着脱できる取付け手段３（図１〜図４参照）は、取付け環状体１５と支持部材１９とによって構成され、取付け環状体１５は棒状部材５に嵌め付けできるように一個所を開放形成した弾性環状部１２と、この弾性環状部１２と一体形成され孔１３を備えた舌部１４とからなる。また、支持部材１９は、複数の孔１６を備えて壁面等に当接できるフランジ部１７と、上記取付け環状体１５を取り付ける支持台部１８とからなる。支持台部１８の中央にはネジ孔(図示せず)が形成してある。この支持部材１９は木製であるが、金属製でも硬質樹脂製であってもよい。
【００１８】
上記の取付け手段３は、手摺り本体２の棒状部材５の両端近傍に、取付け環状体１５をはめ込み、ボルト２０またはネジを舌部１４の各孔１３に挿入して支持台部１８の中央のネジ孔(図示せず)にねじ込んで棒状部材５に取り付けてある。このようにして取り付けることにより取付け手段３は、各棒状部材５の任意の位置に取り付けることができる。このことは取付け手段３を介して手摺り本体２を所望の個所に取付け（固定）する場合に、フランジ部１７の孔１６からネジ２６をねじ込んで強固に固定できる柱等がないときに、柱等のある位置に取付け手段３を手摺り本体２に取り付けることにより、この取付け手段３を柱等に強固に固定することができる。
【００１９】
上記のような構成からなる手摺り１は、階段の横の壁や、玄関の段差のある上り框の傍の壁等の適宜の高さ位置に、取付け手段３のフランジ部１７を当接させてネジ２６で固定する。また、図５に示すように椅子２１の上に立てて壁面に固定してもよい。
【００２０】
このようにして所望の壁面等に取り付けた手摺り１を利用してお年寄りが玄関等の段差のあるところをひとりで降りる場合、所望の高さ位置の棒状部材５を適宜握り、体の移動に伴って握りなおしたり、握った手を滑らせて段差のあるところを降りるようにすれば、転ぶことなく安全に段差のある個所をひとりで降りることができる。また、座っている状態から立ち上がる場合も、座っている場所の傍の壁面等に手摺り１を取り付けておくことにより、この手摺り１の棒状部材５及び手摺り本体２を握って立ち上がれば、容易に立ち上がることができる。
【００２１】
図６は本発明に係る他の手摺り１（便宜上、符号は上記の例と同一符号を使用する。）であって、手摺り本体２の全体が平行四辺形状に形成されている。他の構成は上記の例と同様であり同一個所に同一符号を付して説明を省略する。この平行四辺形状の手摺り１を例えば玄関上がり框の傍の壁面等に固定することにより、水平方向への移動のときは、上下の棒状部材５を持ち替えていくことにより、上記の例(図１参照)の手摺り１と比べ、水平方向の長い距離の補助に有効である。また、この平行四辺形状の手摺り１は、階段に沿って壁面等に固定することにより、図１の手摺り１に比べ階段の上り下りのときに階段に沿って長い距離を補助できる。
【００２２】
図７は本発明に係る他の手摺り１（便宜上、符号は上記の例と同一符号を使用する。）であって、この例では椅子２１の背もたれ部分に手摺り本体２をネジ等で取り付けられるようにしてある。この手摺り１も上記した取付け手段３を備えているが図示省略する。この例では、椅子２１に座っていて立ち上がる時に少し振り返って下から棒状部材５を持ち替えていくことにより、楽に立ち上がることができる。勿論、この手摺り１は、取付け手段３によって壁面等に固定することができる。
【００２３】
図８は本発明に係る他の手摺り１（便宜上、符号は上記の例と同一符号を使用する。）であって、手摺り本体２と２枚の取付け部材２５とからなる。この例の手摺り本体２は、上端部および下端部に嵌合部２２を有するとともに１対の所定間隔を以って対峙する側枠部材４の間に、上下方向に所定間隔を以って平行に６本の棒状部材５を上記した例(図１参照)と同様に固定し、各棒状部材５の両端部をそれぞれの側枠部材４に固定してある。また、各取付け部材２５は、各側枠部材４の上端部および下端部の嵌合部２２をそれぞれ強固に嵌着できる縦長の長方形溝２３を有するとともに、壁等の被取付け部にネジ２４で固定できるようにした構成である。
【００２４】
この例の手摺り１では、各取付け部材２５を所定間隔を以って平行に壁面等の被取付け部にネジ２４で固定し、必要なときに手摺り本体２の各嵌合部２２を対応する長方形溝２３に嵌め合せ、上記した例と同様に使用し、不要なときは手摺り本体２を取付け部材２５から外しておけば掃除等のときに邪魔になることもない。
【００２５】
なお、取付け手段は、吸着盤、フック等の引っ掛け部材等、手摺り本体２を壁面等に固定できれば如何なる構成のものでもよい。また、取付け部材２５も取付け手段を着脱可能に係止できる構成のものであってもよい。また、複数の棒状部材５とは、図示(図１、図７参照)の例のような６本や１１本に限らず、他の複数本であってもよく、また棒状部材５間の間隔も適宜の間隔にして手摺り１を形成すればよい。手摺り１の長さ、横幅も特に限定するものではなく、図示(図１、図７参照)の例より長くおよび／または幅広に形成してもよい。さらに本発明の手摺り１は、棒状部材５が一方の側枠部材４または両方の側枠部材４から両側方に適宜突出した構成であってもよい。また、手摺りは、３本以上の側枠部材４を所定間隔を以って配され、各側枠部材４間を複数の棒状部材５で連結された構成でもよい。この手摺りでは、より長い範囲の歩行の補助に効果的である。
【００２６】
【発明の効果】
以上、上記した説明でも明らかなように本発明の手摺りでは、簡単に所望の個所に取付けでき、また、取付け手段を手摺り本体の所望の個所に付け替えできるので、被取付け部の状態に応じて取付け手段を付け替えて常に強固に被取付け部に固定することができる。また、所望の位置の棒状部材を適宜握り、体の移動に伴って握った手を滑らせて体を移動させることができるので、足腰の弱いお年寄り等が段差のあるところを上ったり下りたりする場合にも安心して移動することができる。さらに、座ったり立ったりする場合にも本発明の手摺りを使用することにより楽に立ったり座ったりすることができる。
【００２７】
また、手摺り本体を壁面等の被取付け部に取り付けた取付け部材に着脱できる手摺りでは、使用しないときは手摺り本体を取付け部材から外しておくことができ、掃除等のときに邪魔になったり、室内の美観を損なうといったこともない。
【００２８】
また、手摺り本体の全体形状が平行四辺形状にした手摺りでは、
お年寄り等の壁等の被取付け部を伝った水平方向への移動時に、より長い距離を補助することができる。
【００２９】
また、手摺り本体が椅子に取り付けた手摺りでは、椅子に座った状態から立ち上がる場合にも、各段の棒状部材を順次握っていくことにより、足腰の弱ったお年寄りや身障者等でも一人で容易立ち上がることができる。
【図面の簡単な説明】
【図１】本発明に係る一例の手摺りの斜視図である。
【図２】図１の手摺りを壁面に取り付けた状態の側面図である。
【図３】図１の手摺りの正面図である。
【図４】本発明に係る一例の取付け手段を示す斜視図である。
【図５】図１の手摺りの一使用状態を示す説明図である。
【図６】本発明に係る他の例の手摺りの説明図である。
【図７】本発明に係る別の例の手摺りの説明図である。
【図８】本発明に係るさらに別の例の手摺りの説明図である。
【図９】従来例の正面図である。
【符号の説明】
１      手摺り
２      手摺り本体
３      取付け手段
４      側枠部材
５      棒状部材
２１    椅子
２２    嵌合部
２３    溝
２４    ネジ
２５    取付け部材
【図１】
0004078106.tif 000002
【図２】
0004078106.tif 000003
【図３】
0004078106.tif 000004
【図４】
0004078106.tif 000005
【図５】
0004078106.tif 000006
【図６】
0004078106.tif 000007
【図７】
0004078106.tif 000008
【図８】
0004078106.tif 000009
【図９】
0004078106.tif 000010